(57)【要約】【課題】異なる長さのロール製品も１種類のラックで収容を行うことが可能なロール製品用の折り畳み式ラックであって、ロール製品の支持部の変更、調整を、作業者一人でも容易に効率よく行えるような折り畳み式ラックを提供する。【解決手段】パレット部１００上に支管受け２７０を有する妻枠部２００を移動自在に配置する。妻枠部２００の外側下端面にベアリング２２３を設置しておく。妻枠部２００を外側に倒すと妻枠部２００はベアリング２２３で支持され、パレット部１００上を簡単に動かせる状態となる。妻枠部２００の固定は、妻枠部２００に装着されたカギバー２３０のカギ部２３５をパレット部１００の位置決め穴１３３に挿入すればよい。【選択図】  図１
2010173692.tif 000002
【特許請求の範囲】
【請求項１】
パレットと、
被収容物を収容する時は前記パレット上に対向して立設され、被収容物を収容しない時は各々前記パレット上に倒置される一対の枠部材であって、
前記枠部材の各々は、
前記パレットの上面に平行に載置される基枠と、
前記基枠に回動可能に連結された枠であって、前記基枠に対して略直角に立設した使用状態、又は、前記基枠に略平行に倒置した非使用状態に変更可能な立設枠と、
前記基枠又は前記立設枠の前記パレット上面との接触部に形成されるベアリングであって、前記枠部材が前記使用状態の時に、当該枠部材を、対向する他方の枠部材とは反対の方向に傾倒させると当該枠部材において最も下方向に突出して前記パレットの上面で回転可能となり当該枠部材を移動可能にするベアリングと、
前記基枠の前記パレット上面との接触部に形成される下方に突出した部材であって、前記基枠及び前記立設枠の前記傾倒がなされていない時は前記パレット上に形成されている複数の係止部のいずれかに当接して当該枠部材の位置を規定し、前記傾倒がなされた場合には前記当接が解除されて当該枠部材を移動可能にするストッパー部材と、
前記基枠及び前記立設枠の前記傾倒がなされないように、前記基枠を前記パレットの上面に係合する係合部と
を有し、
前記パレットは、
前記ベアリングが走行する走行面と、
前記ストッパー部材に当接する当接部と
を有することを特徴とする折り畳み式ラック。
【請求項２】
前記係合部は、平行なピンを有しバネ力により当該ピンと平行な所定の方向に付勢されたカギバーであって、前記枠部材及び前記パレットに各々形成された係合用孔に前記平行なピンを同時に挿入することにより、前記枠部材と前記パレットとが一体化されて前記傾倒が防止されることを特徴とする請求項１に記載の折り畳み式ラック。
【請求項３】
前記パレットの係止部は、被収容物の形状に応じた所望の位置に前記枠部材の位置が変更されて固定されるように、収容する前記被収容物の形状に応じて所定の位置に複数形成されていることを特徴とする請求項１又は２に記載の折り畳み式ラック。
【請求項４】
前記一対の枠部材は、対向する位置にロール製品の支管を受ける支管受け部が具備されているロール製品用の前記請求項１〜３のいずれかに記載の折り畳み式ラック。
【発明の詳細な説明】
【技術分野】
【０００１】
本発明は、折り畳み式ラックに関し、特に、異なる長さのロール製品でも１種類のラックで輸送あるいは保管等を行うことが可能なロール製品用の折り畳み式ラックに関する。
【背景技術】
【０００２】
従来、ロール製品を輸送あるいは保管等するためのラックとしては、例えばロール製品の支管をパレットの上に設置された側壁パネルの一部を利用して保持する構成のロール製品用ラックが知られている。このロール製品用ラックにおいては、ロール製品を収容しない状態ではラックをできる限りコンパクトなサイズにしておくことが有利であるため、折り畳み式でかつ積み重ね可能な構成のものが一般的に用いられている（例えば特許文献１参照）。
【０００３】
一方、ロール製品にも種々の形態のものがあり、また軸方向の長さは様々に異なるものが存在し、異なる長さ（軸方向長さ）のロール製品に対応可能なラックが要望されている。そこで、ロール製品の支管を支える側壁パネルをパレット上に着脱自在に設置するようにし、かつ、その位置を変更できるようにし、同一のラックで複数種類の長さのロール製品に対応できるようにしたラックが開示されている（例えば特許文献２参照）。
【先行技術文献】
【特許文献】
【０００４】
【特許文献１】特表２００３−５２６５７９号公報
【特許文献２】特開２００５−３３５７４７号公報
【発明の概要】
【発明が解決しようとする課題】
【０００５】
特許文献２に開示されている従来のラックにおいては、側壁パネルをパレットに差し込んだり抜き取ったりして着脱し、その位置を変更するものである。しかしながら、通常、ロール製品は重量のある物品であり、従って、これを支持する側壁パネルも通常はスチール製の頑丈で強固な部材である。従って、この側壁パネルの位置を変更するためには、側壁パネルの両側を各々作業者が保持し、これを抜いたり差したりしなければならなかった。すなわち、側壁パネルの移動は２人掛かり、あるいはもっと多数の作業者でなければできないものであり、面倒で手間のかかる作業だった。
【０００６】
本発明はこのような課題に鑑みてなされたものであって、その目的は、異なる長さのロール製品でも１種類のラックで輸送あるいは保管等を行うことが可能なロール製品用の折り畳み式ラックであって、収容するロール製品に対応したロール製品の支持部の移動、変更あるいは調整等を、作業者一人でも容易に効率よく行えるような折り畳み式ラックを提供することにある。
【課題を解決するための手段】
【０００７】
前記課題を解決するために、本発明の折り畳み式ラックは、パレットと、被収容物を収容する時は前記パレット上に対向して立設され、被収容物を収容しない時は各々前記パレット上に倒置される一対の枠部材であって、前記枠部材の各々は、前記パレットの上面に平行に載置される基枠と、前記基枠に回動可能に連結された枠であって、前記基枠に対して略直角に立設した使用状態、又は、前記基枠に略平行に倒置した非使用状態に変更可能な立設枠と、前記基枠又は前記立設枠の前記パレット上面との接触部に形成されるベアリングであって、前記枠部材が前記使用状態の時に、当該枠部材を、対向する他方の枠部材とは反対の方向に傾倒させると当該枠部材において最も下方向に突出して前記パレットの上面で回転可能となり当該枠部材を移動可能にするベアリングと、前記基枠の前記パレット上面との接触部に形成される下方に突出した部材であって、前記基枠及び前記立設枠の前記傾倒がなされていない時は前記パレット上に形成されている複数の係止部のいずれかに当接して当該枠部材の位置を規定し、前記傾倒がなされた場合には前記当接が解除されて当該枠部材を移動可能にするストッパー部材と、前記基枠及び前記立設枠の前記傾倒がなされないように、前記基枠を前記パレットの上面に係合する係合部とを有し、前記パレットは、前記ベアリングが走行する走行面と、前記ストッパー部材に当接する当接部とを有することを特徴とする。
【０００８】
好適には、前記係合部は、平行なピンを有しバネ力により当該ピンと平行な所定の方向に付勢されたカギバーであって、前記枠部材及び前記パレットに各々形成された係合用孔に前記平行なピンを同時に挿入することにより、前記枠部材と前記パレットとが一体化されて前記傾倒が防止されることを特徴とする。
【０００９】
また好適には、前記パレットの係止部は、被収容物の形状に応じた所望の位置に前記枠部材の位置が変更されて固定されるように、収容する前記被収容物の形状に応じて所定の位置に複数形成されていることを特徴とする。
【００１０】
さらに好適には、前記一対の枠部材は、対向する位置にロール製品の支管を受ける支管受け部が具備されていることを特徴とする。
【発明の効果】
【００１１】
本発明によれば、異なる長さのロール製品でも１種類のラックで輸送あるいは保管等を行うことが可能なロール製品用の折り畳み式ラックであって、収容するロール製品に対応したロール製品の支持部の移動、変更あるいは調整等を、作業者一人でも容易に効率よく行えるような折り畳み式ラックを提供することができる。
【図面の簡単な説明】
【００１２】
【図１】図１は、本実施形態のラックの全体構成を示す図であり、（Ａ）は平面図（上面図）であり、（Ｂ）は長手方向の側面図であり、（Ｃ）は短手方向の側面図である。
【図２】図２は、図１に示したラックを折り畳んで段積みした状態を示す図である。
【図３】図３は、図１に示したラックの妻枠部の構成を示す斜視図である。
【図４】図４は、図３に示した妻枠部の構成及び使用形態を示す図であり、（Ａ）は妻枠部が固定されている状態を示す図であり、（Ｂ）は妻枠部を移動する状態を示す図である。
【図５】図５は、図３に示した妻枠部のカギバー（妻枠固定具）の構成を示す図であり、（Ａ）は平面図（上面図）であり、（Ｂ）は側面図であり、（Ｃ）は側面方向の断面図である。
【発明を実施するための形態】
【００１３】
本発明の一実施形態の折り畳み式ラックについて、図１〜図５を参照して説明する。
本実施形態においては、ロール製品を収容し搬送あるいは保管等を行うための折り畳み式のラックであって、１巻のロール製品を収容するものであるが、収容対象として軸方向長さが異なる複数種類のロール製品に対応した、すなわち長さの異なる複数種類のロール製品を収容可能なラックについて例示し、本発明を説明する。
【００１４】
図１は、そのラック１の全体構成を示す図であり、（Ａ）はラック１の平面図（上面図）であり、（Ｂ）はラック１の長手方向の側面図であり、（Ｃ）はラック１の短手方向の側面図である。
図１に示すように、ラック１は、パレット１００と、パレット１００の上面に対向配置される一対の妻枠部（枠部材）２００を有する。
【００１５】
パレット１００は、ラック１の基台である。パレット１００は、略長方形の平面形状を有し、少なくとも長手方向の側面には、フォークリフトの爪部（フォーク）が差し込まれるリフト用開口１１１が形成されている。本実施形態においてパレット１００は、スチール製の角筒パイプ、断面Ｕ字状の棒状鋼材あるいは断面Ｌ字状の棒状鋼材等（以下、これらを棒状部材と総称する。）が溶接等により連結されて形成されている。
【００１６】
パレット１００の長方形形状の４隅位置には、通常の使用形態において鉛直方向に配置される支柱１１３が配設されている。
支柱１１３は、図２に示すように、ラック１が折り畳まれて段積みされる際の支柱としても使用される。従って支柱１１３は、ラック１が折り畳まれた状態において、すなわち、後述するように妻枠部２００の妻枠（立設枠）２４０が折り畳まれた状態において、ラック１の中で最も背の高い部材となるように形成される。各支柱１１３の下面には、下方向に支柱１１３が挿入あるいは係止可能な凹部が形成された段積金具１１５が設置されている。ラック１を段積みする際には、下のラック１の支柱１１３の上端部１１７を上のラック１の支柱１１３の段積金具１１５に順次挿入あるいは係止するようにラック１を順次積み重ねる。その結果、段積みされたラック１が相互に水平方向にずれることが防止され、安全に段積みが行える。
【００１７】
パレット１００の上面には、パレット１００を形成する棒状部材のうち、パレット１００の長手方向に配設された棒状部材の上面が露出している。これらの棒状部材の上面は平坦面に形成されており、これらの面によりパレット１００の上面が形成されている。
本実施形態においては、パレット部１００の上面には、図１（Ａ）に示すように、短手方向の両端に配置される２本の端部パイプ１２１、中央部に配置される１本の中央部パイプ１２３、及び、中央部パイプ１２３と両側の端部パイプ１２１との各間の略中央に各々配置される２本の中間部パイプ１２５が配置されている。
そして、妻枠部２００は、このように形成されるパレット１００の上面に、長手方向に移動自在に、また、固定可能に載置される。
【００１８】
パレット１００の短手方向の両側の中間部パイプ１２５と端部パイプ１２１との間には、両パイプを接続するように、妻枠ストッパー（当接部）１３１が設置されている。妻枠ストッパー１３１は、妻枠部２００に設置される側板ストッパー（ストッパー部材）２２１が当接される部材であり、妻枠部２００の位置決めを容易かつ正確に行うための部材である。従って、妻枠ストッパー１３１は、ラック１に収容する可能性のあるロール製品の長さに応じた所定の位置に設置され、また、ラック１に収容する可能性のある長さの相違するロール製品の種類の数だけ設置される。なお、本実施形態において、妻枠ストッパー１３１は、Ｌ字鋼で形成される。妻枠ストッパー１３１は、ラック１の短手方向両側の各中間部パイプ１２５と端部パイプ１２１との間において、ラック１の長手方向の同じ位置に設置される。また、ラック１の長手方向においては、その両側に対向配置される妻枠部２００に対応して、両側に対称に配置される。
【００１９】
また、中央部パイプ１２３には、その一方の側面に位置決め穴１３３が形成されている（便宜上、図１（Ｂ）及び図４に見えるように記載した）。位置決め穴１３３は、妻枠部２００に装着されているカギバー（係合部）２３０（便宜上、図１（Ｂ）及び図４に見えるように記載した）のカギ部２３５が挿入されて、妻枠部２００を移動不能かつ傾倒不能にするため、すなわち妻枠部２００をパレット１００に固定するための穴である。位置決め穴１３３も、妻枠ストッパー１３１と同様に、ラック１に収容する可能性のあるロール製品の長さに応じた所定の位置に設置され、また、ラック１に収容する可能性のある長さの相違するロール製品の種類の数だけ設置される。また、位置決め穴１３３は、ラック１の長手方向において、その両側に対向配置される妻枠部２００に対応して、両側に対称に配置される。
【００２０】
妻枠部２００は、ロール製品の両端部においてロール製品の支管を支持することにより、ロール製品をパレット１００上に支持する。前述したように、妻枠部２００は、同一構成の２つの妻枠部２００がパレット１００の上面の長手方向両側端部に対向配置され、これによりロール製品の支管の両端を支持する。
【００２１】
妻枠部２００は、基枠２１０と、基枠２１０上に傾倒可能に立設される妻枠（立設枠）２４０を有する。
基枠２１０は、パレット１００の短手方向を長手方向とする長方形形状の枠部材であり、パレット１００の長手方向に移動可能に、パレット１００の上面にパレット１００と平行に載置される。基枠２１０は、ラック１の長手方向の外側に配される外側枠２１１、ラック１の長手方向の内側に配される内側枠２１２、及び、パレット１００の端部パイプ１２１、中央部パイプ１２３及び中間部パイプ１２５に対応する位置に配されて外側枠２１１と内側枠２１２とを連結する２本の側部枠２１３、１本の中央支柱２１４及び２本の中間支柱２１５を有する。
【００２２】
妻枠２４０は、基枠２１０と同じくパレット１００の短手方向を長手方向とする略長方形の枠部材であり、基枠２１０の外側枠２１１の上に傾倒可能に立設される。妻枠２４０は、上枠２４１、下枠２４２、側部枠２４３及び中央支柱２４４を有する。
これらの各枠部材は、スチール製の角筒パイプ、Ｕ字鋼、あるいはＬ字鋼等の棒状部材が用いられる。
【００２３】
基枠２１０と妻枠２４０とは、基枠２１０の外側枠２１１と妻枠２４０の下枠２４２とが上下に並び重ねられて配置され、その内側の接触辺を回転軸として妻枠２４０が基枠２１０に対して回動可能なように、蝶番２５１により連結されている。これにより、妻枠２４０は、基枠２１０の外側枠２１１の上に立設された状態と、ラック１の内側に向けて基枠２１０の上に傾倒された状態、すなわち折り畳まれた状態とに変形可能となる。
【００２４】
妻枠２４０の中央支柱２４４の外側及び基枠２１０の外側枠２１１の中央部には、ロール製品を収容する時に妻枠２４０が倒れることなく立設された状態が維持されるように、妻枠２４０の下枠２４２の外側が基枠２１０の外側枠２１１の外側から浮き上がらないようにこれを係止する係止具２５２が設置されている。本実施形態において係止具２５２は、基枠２１０の外側枠２１１の外面に設置されたフックに矩形リングを係止して妻枠２４０側に引っ張り係止するクリップである。
【００２５】
基枠２１０と妻枠２４０とが回動可能に連結されている妻枠部２００の角部には、基枠２１０の側部枠２１３の外側に、基枠２１０の下面よりも下方に突出するように側板２２２が設置されている。側板２２２を具備する妻枠部２００をパレット１００の上面に載置すると、パレット１００は、側板２２２により挟まれた状態となる。その結果、妻枠部２００はパレット１００の長手方向にのみ移動可能となり、短手方向には側板２２２が障害となって移動不能となる。すなわち、この側板２２２は、妻枠部２００をパレット１００の長手方向に沿って移動させるための案内板となる部材である。
【００２６】
基枠２１０の外側枠２１１の外側面であって、内側面に中間支柱２１５が配設されている箇所の裏面に相当する２箇所には、ベアリング２２３が設置されている。ベアリング２２３は、図４（Ａ）に示すように、妻枠部２００の基枠２１０がパレット１００の上面に平行に配置されている通常の状態においてはわずかに浮いた状態となっているが、図４（Ｂ）に示すように、妻枠部２００を外側に若干傾けた状態、すなわち、基枠２１０の内側枠２１２側がパレット１００の上面から浮いた姿勢とされた場合には、ベアリング２２３の箇所が最も下側となり、妻枠部２００はベアリング２２３に支持された状態となる。従ってこの状態においては、妻枠部２００は、ベアリング２２３の転がり作用により、パレット１００の上面を容易に移動される状態となる。
【００２７】
なお、妻枠部２００が外側にわずかに傾けられた姿勢においても、妻枠部２００に設置された側板２２２は、パレット１００の短手方向両側を挟んだ状態に維持される。従って、ベアリング２２３により妻枠部２００が容易に移動可能な状態になった場合であっても、妻枠部２００はパレット１００の長手方向にのみ移動可能であって、その他の方向に移動することはない。
また、ベアリング２２３は、パレット１００の中間部パイプ１２５に対応する位置に設置されているので、妻枠部２００をパレット１００の長手方向に移動させた場合、ベアリング２２３はパレット１００の中間部パイプ１２５の上を転がることとなる。換言すれば、中間部パイプ１２５はベアリング２２３が走行するレールとして機能する。
【００２８】
妻枠部２００の基枠２１０の内側端部、すなわち、内側枠２１２の端面には、前述したように側板ストッパー（ストッパー部材）２２１（便宜上、図１（Ｂ）及び図４に見えるように記載した）が設置されている。側板ストッパー２２１は、妻枠部２００の基枠２１０の内側枠２１２の側端面の、パレット１００の短手方向両側の端部パイプ１２１と中間部パイプ１２５との間の領域に設置され、内側枠２１２からさらに下方向に突出した板状部材である。前述したように、パレット１００のこの端部パイプ１２１と中間部パイプ１２５との間には、妻枠部２００を固定する位置に対応して妻枠ストッパー１３１が複数設置してある。従って、妻枠部２００を移動させる際には、側板ストッパー２２１が複数の妻枠ストッパー１３１のいずれかに当接するように妻枠部２００を移動させる。
【００２９】
妻枠部２００の基枠２１０の中央支柱２１４には、妻枠固定具としてのカギバー（係合部）２３０が設置されている。
図５は、そのカギバー２３０の構成を示す図であり、（Ａ）は平面図（上面図）であり、（Ｂ）は側面図であり、（Ｃ）は側面方向の断面図である。
カギバー２３０は、主軸部２３３と屈曲部２３４とカギ部２３５とが、図示のごとく「コ」の字形状に形成された、すなわち、主軸部２３３とカギ部２３５とが屈曲部２３４を介して略平行に配置された形状のカギバー本体２３１を有する。カギバー本体２３１の主軸部２３３は、基枠２１０の中央支柱２１４に設置された案内筒２３８に移動自在に通されており、屈曲部２３４及びカギ部２３５が形成されていない側の端部にはバネ係止プレート２３６が設置されている。そして、このバネ係止プレート２３６と案内筒２３８との間に、圧縮バネ２３７が介在されている。これにより、カギバー本体２３１に、カギ部２３５を中央支柱２１４の側面において中央支柱２１４側に付勢する力が作用する。
【００３０】
前述したように、妻枠部２００が固定されるべき位置には、パレット１００の中央部パイプ１２３の側面に位置決め穴１３３が形成されている。この位置決め穴１３３にカギバー２３０のカギ部２３５を挿入することにより、カギバー２３０が設置されている妻枠部２００と位置決め穴１３３が形成されているパレット１００とは一体化される。すなわち、妻枠部２００はパレット１００の上面で移動不能となり、また、図４（Ｂ）に示すように妻枠部２００が背面方向に倒されることも不可能な状態となる。
【００３１】
また、妻枠部２００の妻枠２４０の上部の外側には、取手２５３が設置されている。本実施形態の妻枠部２００においては、図示のごとく２箇所設置されている。図４（Ｂ）に示すように妻枠部２００を外側に倒して移動させる場合、妻枠２４０を折り畳む場合、あるいは、妻枠２４０を起こして立設させる場合等に、作業者は取手２５３に手をかけて作業を行うことができ、作業を容易に行うことができる。
【００３２】
そして、妻枠部２００の妻枠２４０の上枠２４１の上面には、収容するロール製品の支管を受ける支管受け２７０が設置されている。支管受け２７０には、上面に支管を受ける凹部２７１が形成されており、凹部２７１の内面には、支管受けゴム２７２が貼着されている。また、凹部２７１の外側には、ロール製品の支管の軸方向の移動（ずれ）を規制するための支管ストッパー２７３が設置されている。対向配置される２個の妻枠部２００の各支管受け２７０に両端の支管が支持されることにより、ロール製品はラック１に収容保持される。
【００３３】
このような構成のラック１の使用方法について説明する。
まず、妻枠部２００の位置を、収容するロール製品の長さに適応するように変更する方法について説明する。
例えば図４（Ａ）に示すように妻枠部２００が設置されていた場合に、妻枠部２００の位置を移動するためには、まず、カギバー２３０により妻枠部２００とパレット１００とが係止されている状態を解除する。そして、取手２５３を持って、図４（Ｂ）に示すように妻枠部２００を外側方向に倒す。その結果、妻枠部２００はベアリング２２３により支持された状態となる。従って、その状態でベアリング２２３をパレット１００の中間部パイプ１２５の上を転がすことにより、妻枠部２００はパレット１００の上面を容易に移動できる。
【００３４】
この状態で、収容対象のロール製品の長さに対応した妻枠ストッパー１３１に、妻枠部２００の側板ストッパー２２１があたるように、妻枠部２００を移動させる。妻枠部２００を所望の位置に移動させたら、カギバー２３０のカギ部２３５をパレット１００の中央部パイプ１２３に形成された位置決め穴１３３に挿入する。これにより、妻枠部２００はパレット１００上に固定される。
対向する２個の妻枠部２００の位置をこのようにして決定し、妻枠部２００をその位置に固定したら、ロール製品を支管受け２７０に載置し、ラック１に収容する。
【００３５】
次に、ロール製品を取り出した後に、ラック１を折り畳む方法について説明する。
ロール製品を取り出したら、妻枠部２００の係止具２５２による妻枠２４０と基枠２１０との係止を解除する。そして、取手２５３を持って、妻枠２４０を内側に、すなわち基枠２１０の側に傾倒し、最終的に基枠２１０の上に略重ねた状態とする。
なお、妻枠２４０を倒す前に、妻枠部２００全体の位置をパレット１００の端部に移動させる等しておいてもよい。その方法は、前述した妻枠部２００の移動方法と同じである。
このようにして対向する２つの妻枠部２００の妻枠２４０を内側に傾倒させることによりラック１の折り畳みは完了し、このようなラック１は図２に示すように順次段積みすることができる。
【００３６】
このように、本実施形態のラック１においては、収容しようとするロール製品の長さに応じて妻枠部２００の位置、すなわち、支管受け２７０の位置を変更することができるので、１つのラックで複数種類の長さのロール製品に対応することができる。
また、その際の妻枠部２００の移動は、妻枠部２００の取手２５３を持って妻枠部２００を傾け、ベアリング２２３を使って妻枠部２００の位置をずらすだけでよく、作業者が一人でも簡単に行うことができる。
また、妻枠部２００は、側板２２２によりパレット１００の長手方向にのみ移動するように案内されているので、その点においても妻枠部２００の移動は一層簡単に行うことができる。
また、妻枠部２００の固定は、カギバー２３０をパレット１００の位置決め穴１３３に挿入するだけで行えるので、これも簡単に行うことができる。
【００３７】
また、ラック１は、不要な時は折り畳んで段積みしておくことができるので、ラックの回送や保管を効率よく行える。
また、ラック１の折り畳みは、係止具２５２による妻枠２４０と基枠２１０との係止を解除するのみでよいので、これも簡単に行える。
【００３８】
なお、前述した実施形態は、本発明の理解を容易にするために記載されたものであって本発明を何ら限定するものではない。本実施形態に開示された各要素は、本発明の技術的範囲に属する全ての設計変更や均等物をも含み、また任意好適な種々の改変が可能である。
【００３９】
例えば、前述した実施形態におけるパレット１００の端部パイプ１２１、中央部パイプ１２３、中間部パイプ１２５等の配置、構成、数、妻枠部２００の基枠２１０の同じく各枠部材や支持部材の配置、構成、数等は任意でよい。
また、妻枠ストッパー１３１と側板ストッパー２２１とによる妻枠部２００の位置決めの方法、カギバー２３０、係止具２５２等の構成も、本実施の形態に限られるものではなく任意でよい。
また、ベアリング２２３は、スチール製でなくても樹脂製でもよい。
【００４０】
また、ロール製品としては、特に限定されず、例えば磁気テープ、液晶用フィルム、金属箔、各種フィルムシート、織物などが支管の回りに巻回してあるものなどが例示される。
【産業上の利用可能性】
【００４１】
本発明は、例えば磁気テープ、液晶用フィルム、金属箔、各種フィルムシート、織物などのロール製品の収容、保管、搬送等が必要な種々の分野において利用可能である。
【符号の説明】
【００４２】
１…ラック
１００…パレット
１１１…リフト用開口
１１３…支柱
１１５…段積金具
１１７…上端部
１２１…端部パイプ
１２３…中央部パイプ
１２５…中間部パイプ
１３１…妻枠ストッパー
１３３…位置決め穴
２００…妻枠部
２１０…基枠
２１１…外側枠
２１２…内側枠
２１３…側部枠
２１４…中央支柱
２１５…中間支柱
２２１…側板ストッパー
２２２…側板
２２３…ベアリング
２３０…カギバー
２３１…カギバー本体
２３３…主軸部
２３４…屈曲部
２３５…カギ部
２３６…バネ係止プレート
２３７…圧縮バネ
２３８…案内筒
２４０…妻枠
２４１…上枠
２４２…下枠
２４３…側部枠
２４４…中央支柱
２５１…蝶番
２５２…係止具
２５３…取手
２７０…支管受け
２７１…凹部
２７２…支管受けゴム
２７３…支管ストッパー
【図１】
2010173692.tif 000003
【図２】
2010173692.tif 000004
【図３】
2010173692.tif 000005
【図４】
2010173692.tif 000006
【図５】
2010173692.tif 000007